【事件の表示】
　特願２００２−３３６２７５「遊技機」拒絶査定不服審判事件〔平成１６年　６月１７日出願公開、特開２００４−１６６９６０〕について、次のとおり審決する。
【結　論】
　本件審判の請求は、成り立たない。
【理　由】
第１　手続の経緯・本願発明の認定
　本願は平成１４年１１月２０日の出願であって、平成１７年８月２３日付けで拒絶の査定がされたため、これを不服として同年９月２９日付けで本件審判請求がされたものである。
　当審においてこれを審理した結果、新たな拒絶の理由を通知したところ、請求人は平成２０年７月３日付けで意見書及び手続補正書を提出した。
　したがって、本願の請求項１に係る発明（以下「本願発明」という。）は、平成２０年７月３日付けで補正された明細書の特許請求の範囲【請求項１】に記載された事項によって特定される次のとおりのものと認める。
「図柄を複数列に可変表示する可変表示手段と、前記図柄を背後から白色光で照明する第１の光源と、前記可変表示手段の前面に配置されて前記可変表示手段が透視される透明な液晶表示パネルと、この液晶表示パネルの表示部の周囲をその背面側で保持する液晶ホルダと、光源から出射された光を前記液晶表示パネルの背面側に導く導光板と、この導光板の上下端に設置されている第２の光源と、前記導光板で導かれた光を拡散して前記液晶表示パネルに照射される光を均一化する拡散手段と、前記液晶表示パネルの表示部前面を開口した状態で前記液晶表示パネル，前記液晶ホルダ，前記拡散手段および前記導光板を嵌め込んで支持して一体化すると共に前記液晶表示パネルの表示部の周囲をその前面側で保持するパネル枠と、このパネル枠によって一体化された前記液晶表示パネル，前記液晶ホルダ，前記拡散手段および前記導光板を前記液晶表示パネルの表示部前面を開口した状態で支持して機器前面に取り付けられるベース枠と、このベース枠の前面に配置されて前記開口を塞ぐ透明板と、この透明板に並んで視認できる状態でこの透明板よりも前面側の遊技機前面に設けられる機器前面パネルと、前記パネル枠によって一体化されて前記ベース枠に支持された前記液晶表示パネル，前記液晶ホルダ，前記拡散手段および前記導光板を背後から前記ベース枠の内部に保持すると共に前記導光板に出射された光を前記液晶表示パネル側へ反射するリアホルダとを備えて構成されていると共に、前記拡散手段、前記導光板および前記リアホルダには、前記可変表示手段が可変表示する複数の図柄列の前側に、前記可変表示手段に可変表示される図柄を観察させる複数の開口部が設けられ、前記リアホルダの各前記開口部の背面側の周縁角部は削がれており、前記リアホルダの各前記開口部の背面側の上下の削がれた部分付近には第３の光源が設置されていることを特徴とする遊技機。」
　
第２　当審の判断
１．引用刊行物の記載事項
　当審における拒絶理由に引用した特開平７−１２４２９０号公報（以下「引用例１」という。）には、以下のア〜コの記載又は図示がある。
　ア．「複数の回転リールを横方向に並列し、各回転リールの外周の表面に複数のシンボルマークを所定間隔で表示し、各回転リールの外周の表面の一部をフロントパネルに開設した表示窓に臨ませるとともに、各回転リールを回転させてシンボルマークを移動表示するスロットマシンにおいて、
上記フロントパネルには、前記表示窓の位置に少なくとも液晶表示装置を配置し、ゲームの開始前には液晶を遮光状態とするとともに、その遮光面にインフォメーションを液晶表示し、ゲーム中は液晶を透光状態としたことを特徴するスロットマシン」（【請求項１】）
　イ．「スロットマシン10は、前扉の表面にフロントパネル20を設けている。そして、このフロントパネル20の高さの途中には、センターパネル21を設けている。」（段落【００１５】）
　ウ．「センターパネル21のほぼ中央には、図２に示すように、３個の表示窓22〜24を横並びに形成している。各表示窓22〜24の内部には、各回転リール30〜32の表面をそれぞれ臨ませている。そして、各表示窓22〜24には、回転リール30〜32を回転させることにより、上下方向に３個のシンボルマークを所定間隔で高速で移動表示させることができる。」（段落【００１６】）
　エ．「前記センターパネル21の裏側には、図１に示すように、液晶表示装置を構成する液晶パネル40が、センターパネル21の裏面のほぼ全体にわたって配置されている。」（段落【００１８】）
　オ．「液晶パネル40の制御は、スロットマシン10内に設けたマイクロコンピュータ等からなる電気的制御装置（図示せず）により行われている。前記液晶パネル40の裏側には、図１に示すように、液晶パネル40をその裏側から照明するためのバックライトユニット50が配置されている。」（段落【００１９】）
　カ．「上記バックライトユニット50は、図１に示すように、各表示窓22〜24の位置を除き、液晶パネル40の裏面のほぼ全体にわたって配置された面発光板51と、この乱反射板51の端面に配置された蛍光灯52とから構成されている。なお、面発光板51を、各表示窓22〜24の位置を除いて配置したことから、液晶パネル40の透光状態では、スロットマシン10の内部に配置された各回転リール30〜32のシンボルマークを、センターパネル21を透してスロットマシン10の前面より見ることができる。」（段落【００２０】）
　キ．「液晶の透光面の一部を遮光状態として、図４に示すように、中央ライン60を液晶表示して、１本の有効ラインを表示する。」（段落【００２４】）
　ク．「３個のストップスイッチ13〜15を全て操作し、全ての回転リール30〜32を停止させる。その結果、有効ライン上に、予め設定された特定の図柄の組み合わせが形成されると、特別の賞態様、例えば、図７に示す右下がりの斜めライン63上に「７」の文字から成る図柄が３個揃うと、いわゆる「ビッグボーナス」の役が成立し、１５枚のメダルが遊技者に払い出される。」（段落【００２８】）
　ケ．「「ビッグボーナス」が成立すると、図８に示すように、上下に長く透光状態となっていた各表示窓22〜24が、右下がりの斜めライン63上に揃った「７」の図柄を残して遮光状態となり、「ビッグボーナス」の当たり図柄を遊技者から見易いように強調する。さらに、各表示窓22〜24の図７において向かって右側に表示されていた５個のメダル投入表示部70〜74が、消灯し、その箇所に、図８に示すように、「ビッグボーナス」の文字が表示され、「ビッグボーナス」が成立したことを遊技者にわかり易く表示する。」（段落【００２９】）
　コ．【図１】には、「蛍光灯52」を「面発光板51」の上下端面に配置することが図示されている。
　
３．引用例１記載の発明の認定
　引用例１の記載ウ〜オ及び【図１】〜【図３】によれば、各表示窓22〜24の位置に対応する液晶パネル部分にはバックライトユニットが設けられておらず、バックライトユニットと液晶パネルは略同サイズと認めることができ、表現を変えれば、液晶パネルと略同サイズのバックライトユニットに各表示窓22〜24該当の開口部があるということができる。
　遊技者側からみると、フロントパネル（高さの途中にセンターパネルが存する。）、液晶パネル、バックライトユニット（表示窓22〜24該当の開口部あり）及び３個の回転リールが並んでいる。
　したがって、引用例１には次のような発明が記載されていると認めることができる。
「遊技者側からみて、フロントパネル、液晶パネル、バックライトユニット及び３個の回転リールが並んで配置され、フロントパネルの高さの途中にセンターパネルを設けたスロットマシンであって、
　各回転リールは、外周の表面に複数の図柄を所定間隔で表示したものであり、
　バックライトユニットは、面発光板とその上下端面に配置した蛍光灯からなり、そこには３個の開口部が設けられ、液晶パネルが透光状態であれば、各開口部を通して背後の回転リールを各リールごとに３図柄を視認できるように構成され、
　液晶パネルの透光面の一部を遮光状態として、有効ラインを表示し、
　全ての回転リールが停止し、有効ライン上に、予め設定された特定の図柄の組み合わせとしてビッグボーナスが成立すると、特定の図柄の組み合わせが形成された図柄該当部分を残して液晶パネルの開口部該当部分を遮光状態とし、常時はメダル投入表示部とされる液晶パネル部分にビッグボーナスの文字を表示するスロットマシン。」（以下「引用発明１」という。）
　
４．本願発明と引用発明１の一致点及び相違点の認定
　引用発明１の「３個の回転リール」及び「液晶パネル」は、本願発明の「図柄を複数列に可変表示する可変表示手段」及び「液晶表示パネル」にそれぞれ相当し、引用発明１では「液晶パネルが透光状態であれば、各開口部を通して背後の回転リールを各リールごとに３図柄を視認できる」のだから、「液晶パネル」が「前記可変表示手段の前面に配置されて前記可変表示手段が透視される」ことは明らかである。
　引用発明１の「面発光板」が導光機能を有し「光源から出射された光を前記液晶表示パネルの背面側に導く」ことは明らかであるから、同機能を有する点で本願発明の「導光板」に相当し、導光板に「前記可変表示手段が可変表示する複数の図柄列の前側に、前記可変表示手段に可変表示される図柄を観察させる複数の開口部が設けられ」ることは本願発明と引用発明１の一致点である。また、「面発光板とその上下端面に配置した蛍光灯」は本願発明の「導光板の上下端に設置されている第２の光源」に相当する。
　引用発明１の「センターパネル」が透明なことは明らかであり、これと本願発明の「透明板」は、「液晶表示パネル」の前面に位置する「透明板」である点で一致する。
　引用発明１の「フロントパネル」がその一部として「センターパネル」を含むのか、それとも「センターパネル」とは別部材なのか、引用例１の記載のみからは明らかでないものの、引用例１【図２】に引き出し線により符番２０（フロントパネル）として枠状に図示されているものは本願発明の「機器前面パネル」に相当し、枠状のものが奥行きにおいて、「センターパネル」より後方又は同一と考えることは困難であるから、「透明板に並んで視認できる状態でこの透明板よりも前面側の遊技機前面に設けられる機器前面パネル」が存することは本願発明と引用発明１との一致点である。
　引用発明の「スロットマシン」はいうまでもなく本願発明の「遊技機」に含まれる。
　したがって、本願発明と引用発明１は、
「図柄を複数列に可変表示する可変表示手段と、前記可変表示手段の前面に配置されて前記可変表示手段が透視される透明な液晶表示パネルと、光源から出射された光を前記液晶表示パネルの背面側に導く導光板と、この導光板の上下端に設置されている第２の光源と、前記液晶表示パネルよりも前面側に配置された透明板と、この透明板に並んで視認できる状態でこの透明板よりも前面側の遊技機前面に設けられる機器前面パネルとを備えて構成されていると共に、前記導光板には、前記可変表示手段が可変表示する複数の図柄列の前側に、前記可変表示手段に可変表示される図柄を観察させる複数の開口部が設けられている遊技機。」である点で一致し、以下の各点で相違する。
〈相違点１〉本願発明が「前記導光板で導かれた光を拡散して前記液晶表示パネルに照射される光を均一化する拡散手段」及び「前記導光板に出射された光を前記液晶表示パネル側へ反射するリアホルダ」を備え、拡散手段及びリアホルダにも「前記可変表示手段が可変表示する複数の図柄列の前側に、前記可変表示手段に可変表示される図柄を観察させる複数の開口部」を設け、「前記リアホルダの各前記開口部の背面側の周縁角部は削がれて」いるのに対し、引用発明１は「拡散手段」及び「リアホルダ」を有するとはいえない点。
〈相違点２〉本願発明が「前記図柄を背後から白色光で照明する第１の光源」及び「前記リアホルダの各前記開口部の背面側の上下の削がれた部分付近には第３の光源」を備えるのに対し、引用発明１がこれら光源を備えるとはいえない点。
〈相違点３〉本願発明が「液晶表示パネルの表示部の周囲をその背面側で保持する液晶ホルダ」、「前記液晶表示パネルの表示部前面を開口した状態で前記液晶表示パネル，前記液晶ホルダ，前記拡散手段および前記導光板を嵌め込んで支持して一体化すると共に前記液晶表示パネルの表示部の周囲をその前面側で保持するパネル枠」及び「このパネル枠によって一体化された前記液晶表示パネル，前記液晶ホルダ，前記拡散手段および前記導光板を前記液晶表示パネルの表示部前面を開口した状態で支持して機器前面に取り付けられるベース枠」を備え、「透明板」を「ベース枠の前面に配置」し「前記開口を塞ぐ」構成とし、「リアホルダ」により「前記パネル枠によって一体化されて前記ベース枠に支持された前記液晶表示パネル，前記液晶ホルダ，前記拡散手段および前記導光板を背後から前記ベース枠の内部に保持する」構成としたのに対し、引用発明１が「液晶ホルダ」、「パネル枠」及び「ベース枠」を備えるとはいえず、本願発明の上記構成を有さない点。
　
５．相違点の判断及び補正発明の進歩性の判断
（１）相違点１について
　当審における拒絶理由に引用した特開２００１−５４０６号公報（以下「引用例２」という。）には、「【従来の技術】液晶表示装置に代表される非発光表示装置においては、背面に照明のためのバックライトユニットが設けられる。このバックライトユニットは、・・・導光板裏面側に設けられ裏面から抜けた光を再び導光板内に戻すための反射シートとを備えるものが知られている。また、出射面の上方には、必要に応じて、出射面から出射される光（出射光）を視野角内に集光し輝度を向上させるためのレンズシートや、輝度の均一化のための拡散板を備えるものもある。そして、これらはバックライトユニットの外形を成すホルダに納められる。」（段落【０００２】）、「３は出射面２２に対向して設けられ出射光を均一に分布させるための拡散板、４は出射面２２側に拡散板３を介して設けられた非発光表示手段としての透過型の液晶表示パネルである。」（段落【００２８】）、「５は導光板の裏面２３側において表示装置全体を保持する第１ホルダ、６は液晶表示パネル４の表示面側で表示装置全体を保持する第２ホルダで、分割されたこれら第１ホルダ５と第２ホルダ６により、光源１、導光板２、拡散板３及び液晶表示パネル４を収納するホルダが構成される。」（段落【００２９】）及び「第１ホルダ５には、導光板の裏面２３と対向してこれを覆い表面が反射面である裏面部としての後面反射面５１・・・が設けられている。」（段落【００３１】）との各記載がある。ここで、「第１ホルダ５」は導光板の裏面２３側において表示装置全体を保持するホルダであり、「リアホルダ」と称することができるから、引用例２には、「前記導光板で導かれた光を拡散して前記液晶表示パネルに照射される光を均一化する拡散手段」及び「前記導光板に出射された光を前記液晶表示パネル側へ反射するリアホルダ」を備えた液晶表示装置のバックライトユニットが記載されていると認めることができる。
　引用発明１のバックライトユニットとして引用例２記載の構成を採用することは当業者にとって想到容易である。
　その場合、開口部を通しての図柄視認性を確保するために、導光板だけでなく、拡散手段及びリアホルダにも開口部（透過領域）を設けなければならないことは当然である。
　また、本件出願の相当以前に頒布された特開昭６２−１９５５２３号公報に「また、窓部１２の端面１２ａは前側より後側へ傾斜されているため、運転者から端面１２ａが見えなくなり、外観上体裁がよい。」（２頁右下欄３〜５行）と、同じく実願昭６０−１２２４３６号（実開昭６２−３３０３９号）のマイクロフィルム に「顎部２０ａが開口部２０の内周に形成されており」（２頁６〜７行）と記載されているように、窓ということができる開口部の背面側の周縁角部が削がれたものとすることは、周知技術と認めることができ、同周知技術はその構造から「周辺角部が視認されることがない」との作用効果を奏していることは明らかである。 
 　そうすると、引用発明１を出発点として、開口部（その数は面発光板の開口部数に一致する。）を有するリアホルダを設けた場合、リアホルダの各開口部の背面側の周縁角部を削ぐことは、単に上記周知技術を適用した程度のことであり、設計事項というべきである。
　結局のところ、相違点１に係る本願発明の構成を採用することは当業者にとって想到容易である。
　
（２）相違点２について
　引用発明１においても、回転リール表面の図柄を開口部を通して視認する必要上、回転リールに対しての光源が存することは自明である。それがどのようなものか引用例１の記載からは明らかでないものの、回転リール表面用の光源として、図柄を背後から照明する光源（本願発明の「第１の光源」に相当」）や、回転リールの前側から図柄を照らす光源（本願発明の「第３の光源」に相当」）を設けること、及びこれら２種類の光源を両方設けることは周知である。そのことは、例えば、特開平６−９８９６４号公報に「リールユニット30は、図４に示すように、・・・個々に回転される３個の回転リール12〜14と、各回転リール12〜14のそれぞれ内側に位置するとともに、前記ベース50に対して固定され、３個の回転リール12〜14をその内側から個々に照明する発光源としての３本の蛍光管70・・・とを備えている。」（段落【００１９】）及び「前記照明ユニット40は、図１，３に示すように、発光源としての１本の蛍光管41を備え、この蛍光管41は、リールユニット30の３個の回転リール12〜14の外側に配置されている。より具体的には、スロットマシン10のフロントパネルの窓部11の裏側に位置し、３個の回転リール12〜14の斜め上方に、ほぼ水平に配置されている。」（段落【００２５】）と、特開２００１−１７０２４４号公報に「蛍光灯３４は、図５に示すように、正面パネル１１の背面に連接された支持部材３５により支持されて、各リール８ａ，８ｂ，８ｃの外周面を斜め上方位置から照明する。」（段落【００３０】）及び「さらに各リール８ａ，８ｂ，８ｃの裏側には、それぞれ各シンボルの停止表示位置を個別に照明するための３個の光源２１が配備される（以下この光源を「バックライト光源２１」という）。各バックライト光源２１は、前面に透光部を有するケース体２１ａの内部にＬＥＤ２１ｂを組み込んで成るもので、各透光部をリール周面側に向けた状態で、リール内側の適所に固定配備される。」（段落【００３１】）と記載されていることによって裏付けられる。
　この周知技術を引用発明１に採用することには何の困難性もない。その際、「第１の光源」については、図柄の多くが着色されていることを考慮すれば、色の認識が可能なように「白色光で照明する」光源とすることは設計事項に属する。
　また、「第３の光源」については、照明を行う際の効果的な位置として「前記リアホルダの各前記透過領域の背面側の上下の削がれた部分付近」を選択することは設計事項に属する。
　したがって、相違点２に係る本願発明の構成を採用することは当業者にとって想到容易である。
　
（３）相違点３について
　まず「液晶ホルダ」を設けることについて検討する。本願発明の液晶ホルダは液晶表示パネルと拡散手段間に位置し、【図３】（ａ）によれば、それがない場合と比べ、周辺部を除く視認領域において液晶表示パネルと拡散手段間に空間が形成されている。本願発明における「液晶ホルダ」の技術的意義について、液晶パネル周囲の背面側を保持すること以上には発明の詳細な説明に記載されていない。本願【図３】（ａ）を見るに、液晶ホルダ３９ｅが存在せず、液晶表示パネルと拡散手段が密着していても、液晶表示パネルを保持するにさしたる支障があると解することは困難である。そうすると、「液晶ホルダ」を設けることの技術的意義としては、せいぜい上記空間を形成すること又は液晶表示パネルと拡散手段を接着すること程度しか理解できない。
　ところで、一般に液晶表示パネルの視認領域に圧力が加われば、表示状態が大きく変動することは周知であるから、液晶表示パネルの表示を安定化するために、液晶表示パネルの周辺部を除く視認領域を、他の部材と当接しないように構成することに困難性はない。そのための簡便な手法としては、液晶表示パネルとそれに隣接する部材（拡散手段がそれに該当）間に空間を形成することであり、他方視認領域を除く周辺部では、表示状態が変動しても視認性に影響しないから、同周辺部に適宜厚の部材（これが本願発明の「液晶ホルダ」に相当する。）を設けることは当業者にとって想到容易である。
　当審における拒絶理由に引用した特開平１０−２４４０５４号公報（以下「引用例３」という。）には、「図２、及び図５に示すように、液晶パネル部１８は、一般に用いられているバックライト光を拡散するための拡散板４８の上に液晶表示素子部５０を一体的に配置することにより構成されている。・・・拡散板４８の前面側周囲部分には、継続的に突設された支持突部５８が突設され、これに金属製の矩形枠６０が嵌め付けられている。」（段落【００２０】）、「上述のように構成された本実施の形態に係るパチンコ機用液晶表示装置を組み立てるときの作業、及び作用について説明する。この液晶表示装置は、前部フレーム１４に対し、矩形枠６０を付けた液晶パネル部１８を組み付け、さらにシールド部材２０を付け、バックライトユニット２２を付け、このバックライトユニット２２に回路ユニット２４を締結した後、後部フレーム１６を前部フレーム１４に締結して全体を一体化するよう組み立てられる。」（段落【００５５】）及び「液晶パネル部１８の前面側周囲の支持突部５８に支持されるように、矩形枠６０を嵌めたものを、前側面を下にして置かれた前部フレーム１４の前面開口４４部分に、案内片４６で組み付け許容範囲を逸脱しないように載置する。」（段落【００５６】）との各記載があり、これら記載と【図５】によれば、「矩形枠６０」は液晶パネル部等を納める枠であり、本願発明の「前記液晶表示パネルの表示部前面を開口した状態で・・・液晶表示パネルの表示部の周囲をその前面側で保持するパネル枠」に相当する。引用例３記載の「パチンコ機用液晶表示装置」は導光板を有しておらず（【図２】のバックライトユニット２２の図示等から明らかである。）、そのため、「矩形枠６０」が「前記液晶表示パネル，前記液晶ホルダ，前記拡散手段および前記導光板を嵌め込んで支持して一体化する」とまではいえないけれども、バックライトユニットとして導光板を用いた場合には、導光板まで含めて（液晶表示パネルと導光板の間に存在する液晶ホルダ及び拡散手段が含まれる。）同枠に嵌め込んで支持して一体化することは設計事項というべきである。
　次に、引用例３記載の「前部フレーム１４」は、「矩形枠６０を付けた液晶パネル部１８を組み付け」るフレームであるから、パネル枠によって一体化された各種部材を、液晶表示パネルの表示部前面を開口した状態で支持する枠ということができ、本願発明の「ベース枠」に対応する。引用例３記載の「前部フレーム１４」が、「機器前面に取り付けられる」かどうか明らかでないものの、引用例３記載の「パチンコ機用液晶表示装置」であっても、引用発明１に引用例３記載の技術を適用した場合であっても、液晶表示パネルを含む表示装置を機器前面に取り付けなければならないことは当然であり、最も外側の枠である「前部フレーム１４」（ベース枠）を機器前面に取り付けることは設計事項というべきである。
　そして、前示のとおり、液晶表示パネルの視認領域に圧力が加われば、表示状態が大きく変動することは周知であるところ、特に前面側にあっては、遊技者が故意に圧力を加えることが予測されるから、引用発明１のセンターパネル（透明板）と液晶表示パネル間に空間を形成できるように、透明板をベース枠の前面に配置し、ベース枠の開口を塞ぐ構成とすることにも何の困難性もない。
　最後にリアホルダについて再度検討するに、本願発明においては、結局のところ、ベース枠とリアホルダで構成される器に「前記液晶表示パネル，前記液晶ホルダ，前記拡散手段および前記導光板」が納まり保持されることとなる。
　他方、リアホルダについての公知文献として引用した引用例２には、前示のとおり「分割されたこれら第１ホルダ５と第２ホルダ６により、光源１、導光板２、拡散板３及び液晶表示パネル４を収納するホルダが構成される。」（段落【００２９】）との記載があり、リアホルダ及び前側の別部材で構成される器に液晶表示パネル等を納め保持することが記載されている。
　リアホルダと対をなし、器を構成する部材が、第２ホルダ６（引用例２）であってもその他の部材であっても、リアホルダの役割は変わらない。ところで、「パネル枠」及び「ベース部材」を採用することの容易性は前示のとおりであるが、「前記液晶表示パネル，前記液晶ホルダ，前記拡散手段および前記導光板」はこれら２つの部材のいずれにも納まり保持されている。
　「パネル枠」及び「ベース部材」を採用した場合に、リアホルダと対をなし、器を構成する部材となるのは、「パネル枠」又は「ベース部材」のどちらかである。どちらを、リアホルダと対をなす部材とするかは自由であり、「ベース部材」を選ぶことは設計事項というべきである。その場合、「リアホルダ」により「前記パネル枠によって一体化されて前記ベース枠に支持された前記液晶表示パネル，前記液晶ホルダ，前記拡散手段および前記導光板を背後から前記ベース枠の内部に保持する」構成とすることは当然である。
　以上のとおりであるから、相違点３に係る本願発明の構成を採用することは当業者にとって想到容易である。
　
（４）本願発明の進歩性の判断
　相違点１〜３に係る本願発明の構成を採用することは当業者にとって想到容易であり、これら構成を採用したことによる格別の作用効果を認めることもできない。
　したがって、本願発明は引用発明１、引用例２，３記載の技術及び周知技術に基づいて当業者が容易に発明をすることができたものであるから、特許法２９条２項の規定により特許を受けることができない。
　
第３　むすび
　本願発明が特許を受けることができない以上、本願のその余の請求項に係る発明について検討するまでもなく、本願は拒絶を免れない。
　よって、結論のとおり審決する。